(57)【要約】  通信制御方法は、ゲートウェイ装置の管理下にある複数のホーム基地局の中から選択されたホーム基地局と前記ゲートウェイ装置の管理下にない他の基地局との間に、前記ゲートウェイ装置を経由し、かつ、コアネットワークを経由しない通信路を確立する確立ステップと、前記選択されたホーム基地局及び前記他の基地局が、前記確立ステップで確立された前記通信路を用いて、基地局間通信を行うステップと、を有する。
2013141086.tif 000002
【特許請求の範囲】
【請求項１】
移動通信システムに適用される通信制御方法であって、
ゲートウェイ装置の管理下にある複数のホーム基地局の中から選択されたホーム基地局と、前記ゲートウェイ装置の管理下にない他の基地局との間に、前記ゲートウェイ装置を経由し、かつ、コアネットワークを経由しない通信路を確立する確立ステップと、
前記選択されたホーム基地局及び前記他の基地局が、前記確立ステップで確立された前記通信路を用いて、基地局間通信を行うステップと、
を有することを特徴とする通信制御方法。
【請求項２】
前記確立ステップは、前記複数のホーム基地局、前記他の基地局、又は前記ゲートウェイ装置が、前記通信路が確立されるべきホーム基地局を判断する判断ステップを含み、
前記判断ステップにおいて、前記他の基地局から前記複数のホーム基地局へのハンドオーバの実施状況、及び／又は、前記複数のホーム基地局から前記他の基地局へのハンドオーバの実施状況に基づいて、前記通信路が確立されるべきホーム基地局を判断することを特徴とする請求項１に記載の通信制御方法。
【請求項３】
前記確立ステップは、前記複数のホーム基地局又は前記ゲートウェイ装置が、前記通信路が確立されるべきホーム基地局を判断する判断ステップを含み、
前記判断ステップにおいて、前記複数のホーム基地局における前記他の基地局からの無線信号の受信状況に基づいて、前記通信路が確立されるべきホーム基地局を判断することを特徴とする請求項１に記載の通信制御方法。
【請求項４】
移動通信システムに適用される基地局であって、
ゲートウェイ装置の管理下にある複数のホーム基地局の中から選択されたホーム基地局と、前記ゲートウェイ装置の管理下にない前記基地局との間に、前記ゲートウェイ装置を経由し、かつ、コアネットワークを経由しない通信路を確立する制御部と、
前記通信路を用いて基地局間通信を行う通信部と、
を有することを特徴とする基地局。
【請求項５】
前記制御部は、前記他の基地局から前記複数のホーム基地局へのハンドオーバの実施状況、及び／又は、前記複数のホーム基地局から前記他の基地局へのハンドオーバの実施状況に基づいて、前記通信路が確立されるべきホーム基地局を判断することを特徴とする請求項４に記載の基地局。
【請求項６】
移動通信システムに適用されるホーム基地局であって、
ゲートウェイ装置の管理下にある前記ホーム基地局と前記ゲートウェイ装置の管理下にない他の基地局との間に、前記ゲートウェイ装置を経由し、かつ、コアネットワークを経由しない通信路を確立する制御部と、
前記通信路を用いて基地局間通信を行う通信部と、
を有することを特徴とするホーム基地局。
【請求項７】
前記制御部は、前記他の基地局から前記ホーム基地局へのハンドオーバの実施状況、及び／又は、前記ホーム基地局から前記他の基地局へのハンドオーバの実施状況に基づいて、前記通信路を確立するか否かを判断することを特徴とする請求項６に記載のホーム基地局。
【請求項８】
前記制御部は、前記他の基地局からの無線信号の受信状況に基づいて、前記通信路を確立するか否かを判断することを特徴とする請求項６に記載のホーム基地局。
【請求項９】
複数のホーム基地局を管理するゲートウェイ装置であって、
前記ゲートウェイ装置の管理下にない他の基地局と、前記複数のホーム基地局の中から選択されたホーム基地局と、の間に、前記ゲートウェイ装置を経由し、かつ、コアネットワークを経由しない通信路を確立する制御部と、
前記通信路を用いて行われる基地局間通信を中継する中継部と、
を有することを特徴とするゲートウェイ装置。
【請求項１０】
前記制御部は、前記他の基地局から前記複数のホーム基地局へのハンドオーバの実施状況、及び／又は、前記複数のホーム基地局から前記他の基地局へのハンドオーバの実施状況に基づいて、前記通信路が確立されるべきホーム基地局を判断することを特徴とする請求項９に記載のゲートウェイ装置。
【請求項１１】
前記制御部は、前記複数のホーム基地局における前記他の基地局からの無線信号の受信状況に基づいて、前記通信路が確立されるべきホーム基地局を判断することを特徴とする請求項９に記載のゲートウェイ装置。
【発明の詳細な説明】
【技術分野】
【０００１】
本発明は、移動通信システムにおける通信制御方法、基地局、ホーム基地局、及びゲートウェイ装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、住居や会社に設けられる小型基地局であるホーム基地局、及び複数のホーム基地局を管理するゲートウェイ装置の仕様が策定されている（非特許文献１参照）。【０００３】
このようなゲートウェイ装置は、コアネットワークに設けられる移動管理装置の代わりに、配下のホーム基地局を管理することができるため、コアネットワーク側の負荷を軽減することができる。
【先行技術文献】
【非特許文献】
【０００４】
【非特許文献１】３ＧＰＰ技術仕様  「ＴＳ  ３６．３００  Ｖ１１．０．０」  ２０１１年１２月
【発明の概要】
【０００５】
しかしながら、ゲートウェイ装置の管理下にあるホーム基地局と、ゲートウェイ装置の管理下にない他の基地局との間で、ユーザ端末がハンドオーバを行う場合には、移動管理装置が当該ハンドオーバに伴う処理を行うことで、コアネットワーク側の負荷が増えるといった問題がある。
【０００６】
そこで、本発明は、コアネットワーク側の負荷を軽減できる通信制御方法、基地局、ホーム基地局、及びゲートウェイ装置を提供することを目的とする。
【０００７】
上述した課題を解決するために、本発明は以下のような特徴を有している。
【０００８】
本発明の通信制御方法は、ゲートウェイ装置の管理下にある複数のホーム基地局の中から選択されたホーム基地局と前記ゲートウェイ装置の管理下にない他の基地局との間に、前記ゲートウェイ装置を経由し、かつ、コアネットワークを経由しない通信路を確立する確立ステップと、前記選択されたホーム基地局及び前記他の基地局が、前記確立ステップで確立された前記通信路を用いて、基地局間通信を行うステップと、を有する。
【０００９】
前記確立ステップは、前記複数のホーム基地局、前記他の基地局、又は前記ゲートウェイ装置が、前記通信路が確立されるべきホーム基地局を判断する判断ステップを含み、前記判断ステップにおいて、前記他の基地局から前記複数のホーム基地局へのハンドオーバの実施状況、及び／又は、前記複数のホーム基地局から前記他の基地局へのハンドオーバの実施状況に基づいて、前記通信路が確立されるべきホーム基地局を判断してもよい。
【００１０】
前記確立ステップは、前記複数のホーム基地局又は前記ゲートウェイ装置が、前記通信路が確立されるべきホーム基地局を判断する判断ステップを含み、前記判断ステップにおいて、前記複数のホーム基地局における前記他の基地局からの無線信号の受信状況に基づいて、前記通信路が確立されるべきホーム基地局を判断してもよい。
【００１１】
本発明の基地局は、移動通信システムに適用される基地局であって、ゲートウェイ装置の管理下にある複数のホーム基地局の中から選択されたホーム基地局と前記ゲートウェイ装置の管理下にない前記基地局との間に、前記ゲートウェイ装置を経由し、かつ、コアネットワークを経由しない通信路を確立する制御部と、前記通信路を用いて基地局間通信を行う通信部と、を有する。
【００１２】
前記制御部は、前記他の基地局から前記複数のホーム基地局へのハンドオーバの実施状況、及び／又は、前記複数のホーム基地局から前記他の基地局へのハンドオーバの実施状況に基づいて、前記通信路が確立されるべきホーム基地局を判断してもよい。
【００１３】
本発明のホーム基地局は、移動通信システムに適用されるホーム基地局であって、ゲートウェイ装置の管理下にある前記ホーム基地局と前記ゲートウェイ装置の管理下にない他の基地局との間に、前記ゲートウェイ装置を経由し、かつ、コアネットワークを経由しない通信路を確立する制御部と、前記通信路を用いて基地局間通信を行う通信部と、を有する。
【００１４】
前記制御部は、前記他の基地局から前記ホーム基地局へのハンドオーバの実施状況、及び／又は、前記ホーム基地局から前記他の基地局へのハンドオーバの実施状況に基づいて、前記通信路を確立するか否かを判断してもよい。
【００１５】
前記制御部は、前記他の基地局からの無線信号の受信状況に基づいて、前記通信路を確立するか否かを判断してもよい。
【００１６】
本発明のゲートウェイ装置は、複数のホーム基地局を管理するゲートウェイ装置であって、前記ゲートウェイ装置の管理下にない他の基地局と、前記複数のホーム基地局の中から選択されたホーム基地局と、の間に、前記ゲートウェイ装置を経由し、かつ、コアネットワークを経由しない通信路を確立する制御部と、前記通信路を用いて行われる基地局間通信を中継する中継部と、を有する。
【００１７】
前記制御部は、前記他の基地局から前記複数のホーム基地局へのハンドオーバの実施状況、及び／又は、前記複数のホーム基地局から前記他の基地局へのハンドオーバの実施状況に基づいて、前記通信路が確立されるべきホーム基地局を判断してもよい。
【００１８】
前記制御部は、前記複数のホーム基地局における前記他の基地局からの無線信号の受信状況に基づいて、前記通信路が確立されるべきホーム基地局を判断してもよい。
【図面の簡単な説明】
【００１９】
【図１】移動通信システムの構成図である。
【図２】ＭｅＮＢとＨｅＮＢとの間に確立されるＸ２インターフェイスを説明するための図である。
【図３】ＭｅＮＢとＨｅＮＢとの間に確立されるＸ２インターフェイスに関するユーザプレーンのプロトコルスタック図である。
【図４】ＭｅＮＢとＨｅＮＢとの間に確立されるＸ２インターフェイスに関する制御プレーンのプロトコルスタック図である。
【図５】ＵＥのブロック図である。
【図６】ＭｅＮＢのブロック図である。
【図７】ＭＭＥのブロック図である。
【図８】ＨｅＮＢのブロック図である。
【図９】ＨｅＮＢ ＧＷのブロック図である。
【図１０】動作パターン１におけるＭｅＮＢ主導の動作のフロー図である。
【図１１】動作パターン１におけるＭｅＮＢ主導の動作のシーケンス図である。
【図１２】動作パターン１におけるＨｅＮＢ主導の動作のフロー図である。
【図１３】動作パターン１におけるＨｅＮＢ主導の動作のシーケンス図である。
【図１４】動作パターン１におけるＨｅＮＢ ＧＷ主導の動作のフロー図である。
【図１５】動作パターン１におけるＨｅＮＢ ＧＷ主導の動作のシーケンス図である。
【図１６】動作パターン２におけるＨｅＮＢ主導の動作のフロー図である。
【図１７】動作パターン２における動作のシーケンス図である。
【図１８】動作パターン３における動作のシーケンス図である。
【発明を実施するための形態】
【００２０】
［実施形態の概要］
実施形態に係る通信制御方法は、ゲートウェイ装置の管理下にある複数のホーム基地局と、前記ゲートウェイ装置の管理下にない他の基地局と、を含む移動通信システムに適用される。前記通信制御方法は、前記複数のホーム基地局の中から選択されたホーム基地局と前記他の基地局との間に、前記ゲートウェイ装置を経由し、かつ、コアネットワークを経由しない通信路を確立する確立ステップと、前記選択されたホーム基地局及び前記他の基地局が、前記確立ステップで確立された前記通信路を用いて、基地局間通信を行うステップと、を有する。
【００２１】
これにより、ゲートウェイ装置の管理下にあるホーム基地局と、ゲートウェイ装置の管理下にない他の基地局と、の間で、ユーザ端末がハンドオーバを行う場合において、ゲートウェイ装置を経由し、かつ、コアネットワークを経由しない通信路により、当該ハンドオーバに伴う処理を行うことができる。よって、コアネットワークに設けられた移動管理装置が介在しないので、コアネットワーク側の負荷を軽減できる。また、当該通信路を用いて、基地局間干渉を制御する処理などを行うこともできる。
【００２２】
［実施形態］
本実施形態においては、リリース１０以降の３ＧＰＰ規格（すなわち、ＬＴＥ  Ａｄｖａｎｃｅｄ）に基づいて構成される移動通信システムを例に説明する。
【００２３】
以下において、（１）移動通信システムの概要、（２）ブロック構成、（３）動作、（４）実施形態のまとめの順に説明する。
【００２４】
（１）移動通信システムの概要
図１は、本実施形態に係る移動通信システムの構成図である。図１に示すように、移動通信システムは、ユーザ端末（ＵＥ：Ｕｓｅｒ  Ｅｑｕｉｐｍｅｎｔ）１００と、マクロ基地局（ＭｅＮＢ：Ｍａｃｒｏ  ｅｖｏｌｖｅｄ  Ｎｏｄｅ−Ｂ）２００と、移動管理装置（ＭＭＥ：Ｍｏｂｉｌｉｔｙ  Ｍａｎａｇｅｍｅｎｔ  Ｅｎｔｉｔｙ）３００と、ホーム基地局（ＨｅＮＢ：Ｈｏｍｅ  ｅｖｏｌｖｅｄ  Ｎｏｄｅ−Ｂ）４００と、ゲートウェイ装置（ＨｅＮＢ ＧＷ：Ｈｏｍｅ  ｅｖｏｌｖｅｄ  Ｎｏｄｅ−Ｂ  Ｇａｔｅｗａｙ）５００と、を有する。
【００２５】
ＭｅＮＢ２００、ＨｅＮＢ４００、及びＨｅＮＢ ＧＷ５００のそれぞれは、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０に含まれるネットワーク装置である。ＭＭＥ３００は、コアネットワーク（ＥＰＣ：Ｅｖｏｌｖｅｄ  Ｐａｃｋｅｔ  Ｃｏｒｅ）２０に含まれるネットワーク装置である。
【００２６】
ＵＥ１００は、ユーザが所持する移動型無線通信装置である。ＵＥ１００は、通信中の状態に相当するコネクティッド状態において、接続を確立したセル（「サービングセル」と称される）との無線通信を行う。ＵＥ１００がユーザの移動に伴って移動する場合、ＵＥ１００のサービングセルの変更が必要になる。ＵＥ１００がＲＲＣコネクティッド状態においてサービングセルを変更する処理は、「ハンドオーバ」と称される。
【００２７】
ＭｅＮＢ２００は、オペレータが設置する大規模な固定型無線通信装置である。ＭｅＮＢ２００は、１又は複数のマクロセルを形成する。ＭｅＮＢ２００は、ＵＥ１００との無線通信を行う。また、ＭｅＮＢ２００は、ＥＰＣ２０との間の論理的な通信路であるＳ１インターフェイス上でＥＰＣ２０との通信を行う。詳細には、ＭｅＮＢ２００は、Ｓ１インターフェイスの一種であるＳ１−ＭＭＥインターフェイス上でＭＭＥ３００との通信を行う。さらに、ＭｅＮＢ２００は、隣接するＭｅＮＢ２００との間の論理的な通信路であるＸ２インターフェイス上で、当該隣接するＭｅＮＢ２００との基地局間通信を行う。
【００２８】
ＭＭＥ３００は、制御情報を取り扱う制御プレーンに対応して設けられており、ＵＥ１００に対する各種モビリティ管理や認証処理などを行う。
【００２９】
ＨｅＮＢ４００は、屋内に設置可能な小規模な固定型無線通信装置である。ＭｅＮＢ２００は、マクロセルよりもカバー範囲が狭い特定セルを形成する。特定セルは、設定されるアクセスモードに応じて、「ＣＳＧ（Ｃｌｏｓｅｄ  Ｓｕｂｓｃｒｉｂｅｒ  Ｇｒｏｕｐ）セル」、「ハイブリッドセル」、又は「オープンセル」と称される。
【００３０】
ＣＳＧセルは、アクセス権を有するＵＥ１００（「メンバーＵＥ」と称される）のみがアクセス可能なセルであり、ＣＳＧ  ＩＤをブロードキャストする。ＵＥ１００は、自身がアクセス権を有するＣＳＧ  ＩＤのリスト（「ホワイトリスト」と称される）を保持しており、当該ホワイトリストと、ＣＳＧセルがブロードキャストするＣＳＧ  ＩＤと、に基づいて、アクセス権の有無を判断する。
【００３１】
ハイブリッドセルは、メンバーＵＥが非メンバーＵＥよりも有利に取り扱われるセルであり、ＣＳＧ  ＩＤに加えて、非メンバーＵＥにも解放されたセルであることを示す情報をブロードキャストする。ＵＥ１００は、ホワイトリストと、ハイブリッドセルがブロードキャストするＣＳＧ  ＩＤと、に基づいて、アクセス権の有無を判断する。
【００３２】
オープンセルは、メンバーであるか否かを問わずＵＥ１００が同等に取り扱われるセルであり、ＣＳＧ  ＩＤをブロードキャストしない。ＵＥ１００の視点では、オープンセルはマクロセルと同等である。
【００３３】
ＨｅＮＢ４００は、Ｓ１インターフェイス（Ｓ１−ＭＭＥインターフェイス）上で、ＨｅＮＢ ＧＷ５００を介してＭＭＥ３００との通信を行う。ただし、ＨｅＮＢ４００は、ＨｅＮＢ ＧＷ５００を経由しないＳ１インターフェイスがＭＭＥ３００との間に確立されている場合には、ＨｅＮＢ ＧＷ５００を介さずにＭＭＥ３００と直接的に通信を行うこともできる。
【００３４】
ＨｅＮＢ ＧＷ５００は、ＥＰＣ２０（ＭＭＥ３００）と複数のＨｅＮＢ４００との間で当該複数のＨｅＮＢ４００の集合を管理する。ＭＭＥ３００の視点では、ＨｅＮＢ ＧＷ５００はＨｅＮＢ４００と同等である。これに対し、ＨｅＮＢ４００の視点では、ＨｅＮＢ ＧＷ５００はＭＭＥ３００と同等である。ＨｅＮＢ ＧＷ５００は、複数のＨｅＮＢ４００を代表してＭＭＥ３００との通信を行うことで、ＭＭＥ３００と送受信すべきトラフィックを削減する。また、ＨｅＮＢ ＧＷ５００は、自身の管理下にある一のＨｅＮＢ４００から他のＨｅＮＢ４００へのデータを中継することもできる。
【００３５】
本実施形態では、ＨｅＮＢ ＧＷ５００が少なくとも１つのＭｅＮＢ２００との間にＸ２インターフェイスを確立した後において、当該ＭｅＮＢ２００と少なくとも１つのＨｅＮＢ４００との間に、ＨｅＮＢ ＧＷ５００を経由するＸ２インターフェイスが確立される。
【００３６】
図２は、ＭｅＮＢ２００とＨｅＮＢ４００との間に確立されるＸ２インターフェイスを説明するための図である。ＨｅＮＢ ＧＷ５００は、Ｘ２インターフェイスによりＭｅＮＢ２００と接続されている。以下、Ｘ２インターフェイスによる接続を「Ｘ２接続」と称する。また、ＨｅＮＢ ＧＷ５００は、Ｓ１インターフェイスにより複数のＨｅＮＢ４００と接続されている。以下、Ｓ１インターフェイスによる接続を「Ｓ１接続」と称する。
【００３７】
図２に示すように、ＨｅＮＢ ＧＷ５００の管理下にある複数のＨｅＮＢ４００の中から選択されたＨｅＮＢ４００と、ＨｅＮＢ ＧＷ５００の管理下にないＭｅＮＢ２００と、の間に、ＨｅＮＢ ＧＷ５００を経由し、かつ、ＥＰＣ２０（ＭＭＥ３００）を経由しないＸ２インターフェイスを確立する。これにより、当該選択されたＨｅＮＢ４００及びＭｅＮＢ２００は、当該確立されたＸ２インターフェイスを用いて、基地局間通信を行う。
【００３８】
図３及び図４は、ＭｅＮＢ２００とＨｅＮＢ４００との間に確立されるＸ２インターフェイスに関するプロトコルスタック図である。
【００３９】
図３に示すように、ユーザデータを取り扱うユーザプレーンについては、レイヤ１（Ｌ１）及びレイヤ２（Ｌ２）上にＩＰ（Ｉｎｔｅｒｎｅｔ  Ｐｒｏｔｏｃｏｌ）及びＵＤＰ（Ｕｓｅｒ  Ｄａｔａｇｒａｍ  Ｐｒｏｔｏｃｏｌ）が設けられ、ＵＤＰ上にＧＴＰ（ＧＰＲＳ  Ｔｕｎｎｅｌｉｎｇ  Ｐｒｏｔｏｃｏｌ）が設けられる。
【００４０】
図４に示すように、制御プレーンについては、Ｌ１及びＬ２上にＩＰ及びＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）が設けられ、ＳＣＴＰ上にＸ２−ＡＰ（Ｘ２  Ａｐｐｌｉｃａｔｉｏｎ  Ｐｒｏｔｏｃｏｌ）が設けられる。Ｘ２−ＡＰは、ハンドオーバに伴う処理や基地局間干渉を制御する処理を行う。
【００４１】
例えば、Ｘ２−ＡＰは、ハンドオーバに伴う処理として、ハンドオーバ要求（Ｈａｎｄｏｖｅｒ  Ｒｅｑｕｅｓｔ）やハンドオーバ応答（Ｈａｎｄｏｖｅｒ  Ｒｅｑｕｅｓｔ  ＡＣＫ／ＮＡＣＫ）などを含むハンドオーバ手順を行う。また、Ｘ２−ＡＰは、基地局間干渉を制御する処理として、干渉制御情報を送受信するＬｏａｄ  Ｉｎｄｉｃａｔｉｏｎ手順を行う。Ｘ２−ＡＰの詳細については、例えば３ＧＰＰ技術仕様「ＴＳ３６．４２３  Ｖ１０．１．０」を参照されたい。
【００４２】
なお、ＨｅＮＢ４００とＨｅＮＢ  ＧＷ５００との間はＳ１−ＡＰとし、ＨｅＮＢ  ＧＷ５００において、Ｓ１−ＡＰからＸ２−ＡＰへの変換及びＸ２−ＡＰからＳ１−ＡＰへの変換を行うようにしてもよい。
【００４３】
（２）ブロック構成
以下において、ＵＥ１００、ＭｅＮＢ２００、ＭＭＥ３００、ＨｅＮＢ４００、及びＨｅＮＢ ＧＷ５００のそれぞれのブロック構成を説明する。
【００４４】
（２．１）ＵＥ
図５は、ＵＥ１００のブロック図である。図５に示すように、ＵＥ１００は、無線送受信部１１０と、記憶部１２０と、制御部１３０と、を含む。
【００４５】
無線送受信部１１０は、無線信号を送受信する。
【００４６】
記憶部１２０は、制御部１３０による制御に使用される各種情報を記憶する。記憶部１２０は、ホワイトリストを記憶する。
【００４７】
制御部１３０は、ＵＥ１００の各種の機能を制御する。コネクティッド状態において、サービングセルとの無線通信を行うよう無線送受信部１１０を制御する。
【００４８】
制御部１３０は、コネクティッド状態において、ＣＳＧセル又はハイブリッドセルから受信するＣＳＧ  ＩＤと、ホワイトリストと、に基づいて、アクセス権を有するＣＳＧセル又はハイブリッドセルを検出すると、当該セルとの接続を確立するための制御を行う。
【００４９】
（２．２）ＭｅＮＢ
図６は、ＭｅＮＢ２００のブロック図である。図６に示すように、ＭｅＮＢ２００は、無線送受信部２１０と、ネットワーク通信部２２０と、記憶部２３０と、制御部２４０と、を含む。
【００５０】
無線送受信部２１０は、無線信号を送受信する。また、無線送受信部２１０は、１又は複数のマクロセルを形成する。
【００５１】
ネットワーク通信部２２０は、Ｘ２インターフェイス上で他のＭｅＮＢとの基地局間通信を行う。ネットワーク通信部２２０は、Ｓ１インターフェイス上でＭＭＥ３００との通信を行う。
【００５２】
自身（ＭｅＮＢ２００）とＨｅＮＢ４００との間にＸ２インターフェイスが確立されている場合、ネットワーク通信部２２０は、当該Ｘ２インターフェイス上で当該ＨｅＮＢ４００との基地局間通信を行うことができる。
【００５３】
記憶部２３０は、制御部２４０による制御に使用される各種情報を記憶する。
【００５４】
制御部２４０は、ＭｅＮＢ２００の各種の機能を制御する。制御部２４０は、詳細については後述するが、ＨｅＮＢ ＧＷ５００を経由するＸ２インターフェイスを自身（ＭｅＮＢ２００）とＨｅＮＢ４００との間に確立するための制御を行うことができる。
【００５５】
（２．３）ＭＭＥ
図７は、ＭＭＥ３００のブロック図である。図７に示すように、ＭＭＥ３００は、ネットワーク通信部３１０と、記憶部３２０と、制御部３３０と、を含む。
【００５６】
ネットワーク通信部３１０は、Ｓ１インターフェイス上でＭｅＮＢ２００及びＨｅＮＢ ＧＷ５００との通信を行う。
【００５７】
記憶部３２０は、制御部３３０による制御に使用される各種情報を記憶する。
【００５８】
制御部３３０は、ＭＭＥ３００の各種の機能を制御する。例えば、制御部３３０は、Ｘ２インターフェイスが確立されていない基地局（ｅＮＢ）間でＵＥ１００がハンドオーバを行う場合には、当該ハンドオーバのための制御を行う。
【００５９】
（２．４）ＨｅＮＢ
図８は、ＨｅＮＢ４００のブロック図である。図８に示すように、ＨｅＮＢ４００は、無線送受信部４１０と、ネットワーク通信部４２０と、記憶部４３０と、制御部４４０と、を含む。
【００６０】
無線送受信部４１０は、無線信号を送受信する。また、無線送受信部４１０は、ＣＳＧセル、ハイブリッドセル、又はオープンセルを形成する。
【００６１】
ネットワーク通信部４２０は、Ｓ１インターフェイス上でＨｅＮＢ ＧＷ５００又はＭＭＥ３００との通信を行う。
【００６２】
自局（ＨｅＮＢ４００）とＭｅＮＢ２００との間にＸ２インターフェイスが確立されている場合、ネットワーク通信部４２０は、当該Ｘ２インターフェイス上で当該ＭｅＮＢ２００との基地局間通信を行うことができる。
【００６３】
記憶部４３０は、制御部４４０による制御に使用される各種情報を記憶する。
【００６４】
制御部４４０は、ＨｅＮＢ４００の各種の機能を制御する。制御部４４０は、詳細については後述するが、ＨｅＮＢ ＧＷ５００を経由するＸ２インターフェイスを自身（ＨｅＮＢ４００）とＭｅＮＢ２００との間に確立するための制御を行うことができる。
【００６５】
（２．５）ＨｅＮＢ ＧＷ
図９は、ＨｅＮＢ ＧＷ５００のブロック図である。図９に示すように、ＨｅＮＢ ＧＷ５００は、ネットワーク通信部５１０と、記憶部５２０と、制御部５３０と、を含む。
【００６６】
ネットワーク通信部５１０は、Ｓ１インターフェイス上でＭＭＥ３００及びＨｅＮＢ４００との通信を行う。
【００６７】
記憶部５２０は、制御部５３０による制御に使用される各種情報を記憶する。記憶部５２０には、ＨｅＮＢ ＧＷ５００の管理下にあるＨｅＮＢ４００（すなわち、ＨｅＮＢ ＧＷ５００とのＳ１接続を有するＨｅＮＢ４００）が登録されている。
【００６８】
制御部５３０は、ＨｅＮＢ ＧＷ５００の各種の機能を制御する。制御部５３０は、複数のＨｅＮＢ４００の集合を管理する。制御部５３０は、複数のＨｅＮＢ４００を代表してＭＭＥ３００との通信を行うようネットワーク通信部５１０を制御する。
【００６９】
制御部５３０は、自身（ＨｅＮＢ ＧＷ５００）の管理下にある一のＨｅＮＢ４００から他のＨｅＮＢ４００へのデータを中継するようネットワーク通信部５１０を制御する。
【００７０】
制御部５３０は、詳細については後述するが、自身（ＨｅＮＢ ＧＷ５００）を経由するＸ２インターフェイスをＭｅＮＢ２００とＨｅＮＢ４００との間に確立するための制御を行うことができる。
【００７１】
制御部５３０は、自身（ＨｅＮＢ ＧＷ５００）を経由するＸ２インターフェイスがＭｅＮＢ２００とＨｅＮＢ４００との間に確立された後は、当該ＭｅＮＢ２００と当該ＨｅＮＢ４００との間で行われる基地局間通信を中継するようネットワーク通信部５１０を制御する。
【００７２】
（３）動作
以下において、本実施形態に係る移動通信システムの動作を、動作パターン１から動作パターン３の順に説明する。
【００７３】
各動作パターンは、ＨｅＮＢ ＧＷ５００が何れかのＭｅＮＢ２００とのＸ２接続を有する状況を前提とする点は共通しているが、Ｘ２インターフェイスが確立されるべきＨｅＮＢ４００を判断するための判断基準が異なる。
【００７４】
動作パターン１は、ＭｅＮＢ２００、ＨｅＮＢ４００、又はＨｅＮＢ ＧＷ５００が、ＭｅＮＢ２００からＨｅＮＢ４００へのハンドオーバの実施状況、及び／又は、ＨｅＮＢ４００からＭｅＮＢ２００へのハンドオーバの実施状況に基づいて、Ｘ２インターフェイスが確立されるべきＨｅＮＢ４００を判断する。
【００７５】
動作パターン２は、ＨｅＮＢ４００（又はＨｅＮＢ ＧＷ５００）が、ＨｅＮＢ４００におけるＭｅＮＢ２００からの無線信号の受信状況に基づいて、Ｘ２インターフェイスが確立されるべきＨｅＮＢ４００を判断する。
【００７６】
動作パターン３は、動作パターン１と動作パターン２とを併用するものである。
【００７７】
（３．１）動作パターン１
動作パターン１について、ＭｅＮＢ２００主導、ＨｅＮＢ４００主導、ＨｅＮＢ ＧＷ５００主導のそれぞれの動作を説明する。
【００７８】
（３．１．１）ＭｅＮＢ主導の動作
図１０は、動作パターン１におけるＭｅＮＢ２００主導の動作のフロー図である。ここでは、当該ＭｅＮＢ２００はＨｅＮＢ ＧＷ５００とのＸ２接続を有するとする。
【００７９】
図１０に示すように、ステップＳ１０１において、ＭｅＮＢ２００は、自身（ＭｅＮＢ２００）からＨｅＮＢ４００へのハンドオーバの実施状況、及びＨｅＮＢ４００から自身（ＭｅＮＢ２００）へのハンドオーバの実施状況を集計する。そして、ＭｅＮＢ２００は、ハンドオーバ先ＨｅＮＢ及びハンドオーバ元ＨｅＮＢのリスト（以下、「ＨＯ先/元ＨｅＮＢリスト」と称する）を作成する。
【００８０】
ＭｅＮＢ２００は、自身（ＭｅＮＢ２００）との接続を確立したＵＥ１００のハンドオーバ先を決定する処理を行うため、当該処理においてＵＥ１００のハンドオーバ先ＨｅＮＢを特定できる。また、ＭｅＮＢ２００は、他のｅＮＢから自身（ＭｅＮＢ２００）へのハンドオーバを受け入れるか否かを決定する処理を行うため、当該処理においてＵＥ１００のハンドオーバ元ＨｅＮＢを特定できる。
【００８１】
本実施形態では、ＨＯ先/元ＨｅＮＢリストは、ハンドオーバ先ＨｅＮＢ及びハンドオーバ元ＨｅＮＢの両方の情報を含んでいるが、ハンドオーバ先ＨｅＮＢ又はハンドオーバ元ＨｅＮＢの何れか一方の情報のみを含むとしてもよい。
【００８２】
ステップＳ１０２において、ＭｅＮＢ２００は、ステップＳ１０１で作成したＨＯ先/元ＨｅＮＢリストと、ＨｅＮＢ ＧＷ５００とＳ１接続されているＨｅＮＢ４００のリスト（以下、「登録ＨｅＮＢリスト」と称する）と、を照合し、各リストに共通して含まれるＨｅＮＢ４００（以下、「一致ＨｅＮＢ４００」と称する）があるか否かを確認する。
【００８３】
一致ＨｅＮＢ４００がある場合、ステップＳ１０３において、ＭｅＮＢ２００は、当該一致ＨｅＮＢ４００宛てのＸ２ ＳＥＴＵＰ Ｒｅｑｕｅｓｔを送信する。Ｘ２ ＳＥＴＵＰ Ｒｅｑｕｅｓｔは、Ｘ２インターフェイスの確立を要求するためのメッセージである。
【００８４】
図１１は、動作パターン１におけるＭｅＮＢ２００主導の動作のシーケンス図である。
【００８５】
図１１に示すように、ステップＳ１１１において、ＨｅＮＢ ＧＷ５００は、上述した登録ＨｅＮＢリストを作成する。
【００８６】
ステップＳ１１２において、ＭｅＮＢ２００は、自身（ＭｅＮＢ２００）からＨｅＮＢ４００へのハンドオーバの実施状況、及びＨｅＮＢ４００から自身（ＭｅＮＢ２００）へのハンドオーバの実施状況に基づいて、上述したＨＯ先/元ＨｅＮＢリストを作成する。
【００８７】
例えば、ＭｅＮＢ２００は、ＨｅＮＢ４００毎に、自身（ＭｅＮＢ２００）をハンドオーバ先／ハンドオーバ元とするハンドオーバの回数をカウントし、当該回数が閾値を超えたＨｅＮＢ４００をＨＯ先/元ＨｅＮＢリストに含める。あるいは、ＭｅＮＢ２００は、ＨｅＮＢ４００毎に、過去所定期間において自身（ＭｅＮＢ２００）をハンドオーバ先／ハンドオーバ元とするハンドオーバが発生した回数からハンドオーバ頻度を計算し、当該頻度が閾値を超えたＨｅＮＢ４００をＨＯ先/元ＨｅＮＢリストに含める。
【００８８】
ステップＳ１１３において、ＭｅＮＢ２００は、ＨｅＮＢ ＧＷ５００に対して登録ＨｅＮＢリストをＸ２インターフェイス上で要求する。
【００８９】
ステップＳ１１４において、ＨｅＮＢ ＧＷ５００は、ＭｅＮＢ２００からの要求に応じて、ステップＳ１１１で作成した登録ＨｅＮＢリストをＸ２インターフェイス上でＭｅＮＢ２００に送信する。
【００９０】
ステップＳ１１５において、ＭｅＮＢ２００は、ＨｅＮＢ ＧＷ５００から受信した登録ＨｅＮＢリストと、ステップＳ１１２で作成したＨＯ先/元ＨｅＮＢリストと、を照合し、一致ＨｅＮＢ４００があるか否かを確認する。以下、一致ＨｅＮＢ４００があると仮定して説明を進める。
【００９１】
ステップＳ１１６において、ＭｅＮＢ２００は、一致ＨｅＮＢ４００宛てのＸ２ ＳＥＴＵＰ ＲｅｑｕｅｓｔをＸ２インターフェイス上でＨｅＮＢ ＧＷ５００に送信する。
【００９２】
ステップＳ１１７において、ＨｅＮＢ ＧＷ５００は、ＭｅＮＢ２００から受信したＸ２ ＳＥＴＵＰ ＲｅｑｕｅｓｔをＳ１インターフェイス上で一致ＨｅＮＢ４００に送信する。
【００９３】
ステップＳ１１８において、一致ＨｅＮＢ４００は、ＨｅＮＢ ＧＷ５００から受信したＸ２ ＳＥＴＵＰ Ｒｅｑｕｅｓｔに応じて、ＭｅＮＢ２００との間にＸ２インターフェイスを確立するとともに、Ｘ２ ＳＥＴＵＰ Ｒｅｑｕｅｓｔに対する応答であるＸ２ ＳＥＴＵＰ ResponseをＸ２インターフェイス上でＨｅＮＢ ＧＷ５００に送信する。
【００９４】
ステップＳ１１９において、ＨｅＮＢ ＧＷ５００は、ＨｅＮＢ４００から受信したＸ２ ＳＥＴＵＰ ＲｅｓｐｏｎｓｅをＸ２インターフェイス上でＭｅＮＢ２００に送信する。
【００９５】
このような手順によって、ハンドオーバ頻度の高いＨｅＮＢ４００及びＭｅＮＢ２００の組み合わせについて、ＨｅＮＢ ＧＷ５００を経由するＸ２インターフェイスが確立される。
【００９６】
本シーケンスは、次のように、判断主体をＨｅＮＢ ＧＷ５００に変更してもよい。
【００９７】
ステップＳ１１３でＭｅＮＢ２００からＨｅＮＢ ＧＷ５００に登録ＨｅＮＢリストを要求することに代えて、ＭｅＮＢ２００からＨｅＮＢ ＧＷ５００にＨＯ先/元ＨｅＮＢリストを送信する。ＨｅＮＢ ＧＷ５００は、受信したＨＯ先/元ＨｅＮＢリストと、登録ＨｅＮＢリストと、を照合し、各リストに共通して含まれる一致ＨｅＮＢ４００があるか否かを確認する。そして、ＨｅＮＢ ＧＷ５００は、一致ＨｅＮＢ４００に対してＸ２ ＳＥＴＵＰ Ｒｅｑｕｅｓｔを送信する。
【００９８】
なお、ステップＳ１１８においては、Ｘ２ ＳＥＴＵＰ ＲｅｓｐｏｎｓｅをＸ２インターフェイス上で送信すると説明したが、ステップＳ１１８の前に、ＨｅＮＢ４００がＸ２接続可能になることをＨｅＮＢ  ＧＷ５００に通知してもよい（ステップＳ１００１）。また、ＨｅＮＢ  ＧＷ５００は、当該通知に対する応答をＨｅＮＢ４００に送信してもよい（ステップＳ１００２）。
【００９９】
（３．１．２）ＨｅＮＢ主導の動作
図１２は、動作パターン１におけるＨｅＮＢ４００主導の動作のフロー図である。
【０１００】
図１２に示すように、ステップＳ１２１において、ＨｅＮＢ４００は、ＭｅＮＢ２００から自身（ＨｅＮＢ４００）へのハンドオーバの実施状況、及び自身（ＨｅＮＢ４００）からＭｅＮＢ２００へのハンドオーバの実施状況を集計する。そして、ＨｅＮＢ４００は、ハンドオーバ先ＭｅＮＢ及びハンドオーバ元ＭｅＮＢのリスト（以下、「ＨＯ先/元ＭｅＮＢリスト」と称する）を作成する。
【０１０１】
ＨｅＮＢ４００は、自身（ＨｅＮＢ４００）との接続を確立したＵＥ１００のハンドオーバ先を決定する処理を行うため、当該処理においてＵＥ１００のハンドオーバ先ＭｅＮＢを特定できる。また、ＭｅＮＢ２００は、他のｅＮＢから自身（ＨｅＮＢ４００）へのハンドオーバを受け入れるか否かを決定する処理を行うため、当該処理においてＵＥ１００のハンドオーバ元ＭｅＮＢを特定できる。
【０１０２】
本実施形態では、ＨＯ先/元ＭｅＮＢリストは、ハンドオーバ先ＭｅＮＢ及びハンドオーバ元ＭｅＮＢの両方の情報を含んでいるが、ハンドオーバ先ＭｅＮＢ又はハンドオーバ元ＭｅＮＢの何れか一方の情報のみを含むとしてもよい。
【０１０３】
ステップＳ１２２において、ＨｅＮＢ４００は、ステップＳ１２１で作成したＨＯ先/元ＭｅＮＢリストと、ＨｅＮＢ ＧＷ５００とＸ２接続されているＭｅＮＢ２００のリスト（以下、「Ｘ２接続ＭｅＮＢリスト」と称する）と、を照合し、各リストに共通して含まれるＭｅＮＢ２００（以下、「一致ＭｅＮＢ２００」と称する）があるか否かを確認する。
【０１０４】
一致ＭｅＮＢ２００がある場合、ステップＳ１２３において、ＨｅＮＢ４００は、当該一致ＭｅＮＢ２００宛てのＸ２ ＳＥＴＵＰ Ｒｅｑｕｅｓｔを送信する。上述したように、Ｘ２ ＳＥＴＵＰ Ｒｅｑｕｅｓｔは、Ｘ２インターフェイスの確立を要求するためのメッセージである。
【０１０５】
図１３は、動作パターン１におけるＨｅＮＢ４００主導の動作のシーケンス図である。
【０１０６】
図１３に示すように、ステップＳ１３１において、ＨｅＮＢ ＧＷ５００は、上述したＸ２接続ＭｅＮＢリストを作成する。
【０１０７】
ステップＳ１３２において、ＨｅＮＢ４００は、ＭｅＮＢ２００から自身（ＨｅＮＢ４００）へのハンドオーバの実施状況、及び自身（ＨｅＮＢ４００）からＭｅＮＢ２００へのハンドオーバの実施状況に基づいて、上述したＨＯ先/元ＭｅＮＢリストを作成する。
【０１０８】
例えば、ＨｅＮＢ４００は、ＭｅＮＢ２００毎に、自身（ＨｅＮＢ４００）をハンドオーバ先／ハンドオーバ元とするハンドオーバの回数をカウントし、当該回数が閾値を超えたＭｅＮＢ２００をＨＯ先/元ＭｅＮＢリストに含める。あるいは、ＨｅＮＢ４００は、ＭｅＮＢ２００毎に、過去所定期間において自身（ＨｅＮＢ４００）をハンドオーバ先／ハンドオーバ元とするハンドオーバが発生した回数からハンドオーバ頻度を計算し、当該頻度が閾値を超えたＭｅＮＢ２００をＨＯ先/元ＭｅＮＢリストに含める。
【０１０９】
ステップＳ１３３において、ＨｅＮＢ４００は、ＨｅＮＢ ＧＷ５００に対してＸ２接続ＭｅＮＢリストをＳ１インターフェイス上で要求する。
【０１１０】
ステップＳ１３４において、ＨｅＮＢ ＧＷ５００は、ＨｅＮＢ４００からの要求に応じて、ステップＳ１３１で作成したＸ２接続ＭｅＮＢリストをＳ１インターフェイス上でＨｅＮＢ４００に送信する。
【０１１１】
ステップＳ１３５において、ＨｅＮＢ４００は、ＨｅＮＢ ＧＷ５００から受信したＸ２接続ＭｅＮＢリストと、ステップＳ１３２で作成したＨＯ先/元ＭｅＮＢリストと、を照合し、一致ＭｅＮＢ２００があるか否かを確認する。以下、一致ＭｅＮＢ２００があると仮定して説明を進める。
【０１１２】
ステップＳ１３６において、ＨｅＮＢ４００は、一致ＭｅＮＢ２００宛てのＸ２ ＳＥＴＵＰ ＲｅｑｕｅｓｔをＳ１インターフェイス上でＨｅＮＢ ＧＷ５００に送信する。
【０１１３】
ステップＳ１３７において、ＨｅＮＢ ＧＷ５００は、ＨｅＮＢ４００から受信したＸ２ ＳＥＴＵＰ ＲｅｑｕｅｓｔをＸ２インターフェイス上で一致ＭｅＮＢ２００に送信する。
【０１１４】
ステップＳ１３８において、一致ＭｅＮＢ２００は、ＨｅＮＢ ＧＷ５００から受信したＸ２ ＳＥＴＵＰ Ｒｅｑｕｅｓｔに応じて、ＨｅＮＢ４００とのＸ２インターフェイスを確立する処理を行うとともに、Ｘ２ ＳＥＴＵＰ Ｒｅｑｕｅｓｔに対する応答であるＸ２ ＳＥＴＵＰ ResponseをＸ２インターフェイス上でＨｅＮＢ ＧＷ５００に送信する。
【０１１５】
ステップＳ１３９において、ＨｅＮＢ ＧＷ５００は、ＭｅＮＢ２００から受信したＸ２ ＳＥＴＵＰ ＲｅｓｐｏｎｓｅをＸ２インターフェイス上でＨｅＮＢ４００に送信する。
【０１１６】
なお、ステップＳ１３６でＨｅＮＢ４００がＸ２ ＳＥＴＵＰ Ｒｅｑｕｅｓｔを送信する前に、ＨｅＮＢ４００がＸ２接続可能になることをＨｅＮＢ  ＧＷ５００に通知してもよい（ステップＳ１０１１）。また、ＨｅＮＢ  ＧＷ５００は、当該通知に対する応答をＨｅＮＢ４００に送信してもよい（ステップＳ１０１２）。
【０１１７】
このような手順によって、ハンドオーバ頻度の高いＨｅＮＢ４００及びＭｅＮＢ２００の組み合わせについて、ＨｅＮＢ ＧＷ５００を経由するＸ２インターフェイスが確立される。
【０１１８】
本シーケンスは、次のように、判断主体をＨｅＮＢ ＧＷ５００に変更してもよい。
【０１１９】
ステップＳ１３３でＨｅＮＢ４００からＨｅＮＢ ＧＷ５００にＸ２接続ＭｅＮＢリストを要求することに代えて、ＨｅＮＢ４００からＨｅＮＢ ＧＷ５００にＨＯ先/元ＭｅＮＢリストを送信する。ＨｅＮＢ ＧＷ５００は、受信したＨＯ先/元ＭｅＮＢリストと、Ｘ２接続ＭｅＮＢリストと、を照合し、各リストに共通して含まれる一致ＭｅＮＢ２００があるか否かを確認する。そして、ＨｅＮＢ ＧＷ５００は、一致ＭｅＮＢ２００に対してＸ２ ＳＥＴＵＰ Ｒｅｑｕｅｓｔを送信する。
【０１２０】
（３．１．３）ＨｅＮＢ ＧＷ主導の動作
図１４は、動作パターン１におけるＨｅＮＢ ＧＷ５００主導の動作のフロー図である。
【０１２１】
図１４に示すように、ステップＳ１４１において、ＨｅＮＢ ＧＷ５００は、ＭｅＮＢ２００からＨｅＮＢ４００へのハンドオーバの実施状況、及びＨｅＮＢ４００からＭｅＮＢ２００へのハンドオーバの実施状況から、ＭｅＮＢ２００のそれぞれと、ＨｅＮＢ４００のそれぞれと、の組み合わせ（「ＭｅＮＢ２００−ＨｅＮＢ４００セット」と称する）毎に、ハンドオーバ頻度を取得する。なお、ＨｅＮＢ  ＧＷ５００は、ＨｅＮＢ４００についてのハンドオーバに係る情報を中継（ルーティング）しているため、当該情報に基づいて、ハンドオーバ頻度を取得することができる。
【０１２２】
ステップＳ１４２において、ＨｅＮＢ ＧＷ５００は、ステップＳ１４１で取得したＭｅＮＢ２００−ＨｅＮＢ４００セット毎のハンドオーバ頻度と、登録ＨｅＮＢリストと、Ｘ２接続ＭｅＮＢリストと、を照合する。
【０１２３】
条件を満たすＭｅＮＢ２００−ＨｅＮＢ４００セットがある場合、ステップＳ１４３において、ＨｅＮＢ ＧＷ５００は、ハンドオーバ頻度の多いＭｅＮＢ２００−ＨｅＮＢ４００セットについて、自身（ＨｅＮＢ ＧＷ５００）を経由するＸ２インターフェイスを確立するよう制御する。
【０１２４】
図１５は、動作パターン１におけるＨｅＮＢ ＧＷ５００主導の動作のシーケンス図である。
【０１２５】
図１５に示すように、ステップＳ１５１において、ＨｅＮＢ ＧＷ５００は、上述した登録ＨｅＮＢリスト及び上述したＸ２接続ＭｅＮＢリストを作成する。
【０１２６】
ステップＳ１５２において、ＨｅＮＢ ＧＷ５００は、ＭｅＮＢ２００からＨｅＮＢ４００へのハンドオーバの実施状況、及びＨｅＮＢ４００からＭｅＮＢ２００へのハンドオーバの実施状況を集計する。そして、ＨｅＮＢ ＧＷ５００は、ＭｅＮＢ２００−ＨｅＮＢ４００セット毎にハンドオーバ頻度を取得する。
【０１２７】
ステップＳ１５３において、ＨｅＮＢ ＧＷ５００は、ＭｅＮＢ２００−ＨｅＮＢ４００セット毎のハンドオーバ頻度と、登録ＨｅＮＢリストと、Ｘ２接続ＭｅＮＢリストと、を照合する。例えば、ＨｅＮＢ ＧＷ５００は、ハンドオーバ頻度の多いＭｅＮＢ２００−ＨｅＮＢ４００セットにおいて、当該ＭｅＮＢ２００とのＸ２接続を有し、かつ、当該ＨｅＮＢ４００が自身（ＨｅＮＢ ＧＷ５００）の管理下であるか否かを確認する。以下、条件を満たすＭｅＮＢ２００−ＨｅＮＢ４００セットがあると仮定して説明を進める。
【０１２８】
ステップＳ１５４において、ＨｅＮＢ ＧＷ５００は、条件を満たすＭｅＮＢ２００−ＨｅＮＢ４００セットにおいて、当該ＭｅＮＢ２００又は当該ＨｅＮＢ４００に対してＸ２ ＳＥＴＵＰ Ｒｅｑｕｅｓｔ起動メッセージを送信する。ここでは、ＨｅＮＢ４００に対してＸ２ ＳＥＴＵＰ Ｒｅｑｕｅｓｔ起動メッセージを送信すると仮定して説明を進める。
【０１２９】
Ｘ２ ＳＥＴＵＰ Ｒｅｑｕｅｓｔ起動メッセージは、Ｘ２ ＳＥＴＵＰ Ｒｅｑｕｅｓｔを起動（要求）するメッセージである。Ｘ２ ＳＥＴＵＰ Ｒｅｑｕｅｓｔ起動メッセージは、Ｘ２ ＳＥＴＵＰ Ｒｅｑｕｅｓｔの送信先を指定する情報を含む。よって、条件を満たすＭｅＮＢ２００−ＨｅＮＢ４００セットについて、当該ＨｅＮＢ４００に対してＸ２ ＳＥＴＵＰ Ｒｅｑｕｅｓｔ起動メッセージを送信する場合には、当該Ｘ２ ＳＥＴＵＰ Ｒｅｑｕｅｓｔ起動メッセージは当該ＭｅＮＢ２００を送信先として指定する情報を含む。
【０１３０】
ステップＳ１５５において、Ｘ２ ＳＥＴＵＰ Ｒｅｑｕｅｓｔ起動メッセージを受信したＨｅＮＢ４００は、当該Ｘ２ ＳＥＴＵＰ Ｒｅｑｕｅｓｔ起動メッセージで指定されたＭｅＮＢ２００に宛てて、Ｘ２ ＳＥＴＵＰ ＲｅｑｕｅｓｔをＳ１インターフェイス上で送信する。
【０１３１】
以降のステップＳ１５６からステップＳ１５８は、図１３のステップＳ１３７からステップＳ１３９と同じである。
【０１３２】
このような手順によって、ハンドオーバ頻度の高いＨｅＮＢ４００及びＭｅＮＢ２００の組み合わせについて、ＨｅＮＢ ＧＷ５００を経由するＸ２インターフェイスが確立される。
【０１３３】
（３．２）動作パターン２
次に、動作パターン２について説明する。図１６は、動作パターン２におけるＨｅＮＢ４００主導の動作のフロー図である。
【０１３４】
図１６に示すように、ステップＳ２０１において、ＨｅＮＢ４００は、ＭｅＮＢ２００からの無線信号をスキャンする。ＨｅＮＢ４００は、スキャン結果に応じて、自身の周辺に存在するＭｅＮＢ２００のリスト（以下、「周辺ＭｅＮＢリスト」と称する）を作成する。
【０１３５】
ステップＳ２０２において、ＨｅＮＢ４００は、ステップＳ２０１で作成した周辺ＭｅＮＢリストと、上述したＸ２接続ＭｅＮＢリストと、を照合し、各リストに共通して含まれるＭｅＮＢ２００（一致ＭｅＮＢ２００）があるか否かを確認する。
【０１３６】
一致ＭｅＮＢ２００がある場合、ステップＳ２０３において、ＨｅＮＢ４００は、当該一致ＭｅＮＢ２００宛てのＸ２ ＳＥＴＵＰ Ｒｅｑｕｅｓｔを送信する。上述したように、Ｘ２ ＳＥＴＵＰ Ｒｅｑｕｅｓｔは、Ｘ２インターフェイスの確立を要求するためのメッセージである。
【０１３７】
図１７は、動作パターン２における動作のシーケンス図である。
【０１３８】
図１７に示すように、ステップＳ２１１において、ＨｅＮＢ ＧＷ５００は、上述したＸ２接続ＭｅＮＢリストを作成する。
【０１３９】
ステップＳ２１２において、ＨｅＮＢ４００は、ＭｅＮＢ２００に対するスキャン結果に応じて、上述した周辺ＭｅＮＢリストを作成する。例えば、ＨｅＮＢ４００は、ＭｅＮＢ２００から受信する参照信号の受信電力を測定し、当該受信電力が所定レベル以上であれば、当該ＭｅＮＢ２００を周辺ＭｅＮＢリストに含める。
【０１４０】
ステップＳ２１３において、ＨｅＮＢ４００は、Ｘ２接続ＭｅＮＢリストをＳ１インターフェイス上でＨｅＮＢ ＧＷ５００に要求する。
【０１４１】
ステップＳ２１４において、ＨｅＮＢ ＧＷ５００は、ＨｅＮＢ４００からの要求に応じて、ステップＳ２１１で作成したＸ２接続ＭｅＮＢリストをＳ１インターフェイス上でＨｅＮＢ４００に送信する。
【０１４２】
ステップＳ２１５において、ＨｅＮＢ４００は、ＨｅＮＢ ＧＷ５００から受信したＸ２接続ＭｅＮＢリストと、ステップＳ２１２で作成した周辺ＭｅＮＢリストと、を照合し、一致ＭｅＮＢ２００があるか否かを確認する。
【０１４３】
以降のステップＳ２１６からステップＳ２１９は、図１３のステップＳ１３６からステップＳ１３９と同じである。
【０１４４】
このような手順によって、近接度の高い（あるいは、干渉の影響の大きい）ＨｅＮＢ４００及びＭｅＮＢ２００の組み合わせについて、ＨｅＮＢ ＧＷ５００を経由するＸ２インターフェイスが確立される。
【０１４５】
本シーケンスは、次のように、判断主体をＨｅＮＢ ＧＷ５００に変更してもよい。
【０１４６】
ステップＳ２１３でＨｅＮＢ４００からＨｅＮＢ ＧＷ５００にＸ２接続ＭｅＮＢリストを要求することに代えて、ＨｅＮＢ４００からＨｅＮＢ ＧＷ５００に周辺ＭｅＮＢリストを送信する。ＨｅＮＢ ＧＷ５００は、受信した周辺ＭｅＮＢリストと、Ｘ２接続ＭｅＮＢリストと、を照合し、各リストに共通して含まれる一致ＭｅＮＢ２００があるか否かを確認する。そして、ＨｅＮＢ ＧＷ５００は、一致ＭｅＮＢ２００に対してＸ２ ＳＥＴＵＰ Ｒｅｑｕｅｓｔを送信する。
【０１４７】
（３．３）動作パターン３
次に、動作パターン３について説明する。図１８は、動作パターン３における動作のシーケンス図である。
【０１４８】
図１８に示すように、ステップＳ３０１において、ＨｅＮＢ ＧＷ５００は、上述したＸ２接続ＭｅＮＢリストを作成する。
【０１４９】
ステップＳ３０２において、ＨｅＮＢ４００は、ＭｅＮＢ２００から自身（ＨｅＮＢ４００）へのハンドオーバの実施状況、及び自身（ＨｅＮＢ４００）からＭｅＮＢ２００へのハンドオーバの実施状況に基づいて、上述したＨＯ先/元ＭｅＮＢリストを作成する。
【０１５０】
ステップＳ３０３において、ＨｅＮＢ４００は、ＭｅＮＢ２００に対するスキャン結果に応じて、上述した周辺ＭｅＮＢリストを作成する。
【０１５１】
ステップＳ３０４において、ＨｅＮＢ４００は、ステップＳ３０２で作成したＨＯ先/元ＭｅＮＢリストと、ステップＳ３０３で作成した周辺ＭｅＮＢリストと、を照合する。例えば、ＨＯ先/元ＭｅＮＢリスト及び周辺ＭｅＮＢリストに共通に含まれるＭｅＮＢ２００を抽出する。
【０１５２】
ステップＳ３０５において、ＨｅＮＢ４００は、ステップＳ３０４での照合結果をＳ１インターフェイス上でＨｅＮＢ ＧＷ５００に送信する。
【０１５３】
ステップＳ３０６において、ＨｅＮＢ ＧＷ５００は、ＨｅＮＢ ＧＷ５００からの照合結果と、Ｘ２接続ＭｅＮＢリストと、に基づいて、照合結果に含まれるＭｅＮＢ２００がＸ２接続ＭｅＮＢリストに含まれるか否かを確認する。以下、照合結果に含まれるＭｅＮＢ２００がＸ２接続ＭｅＮＢリストに含まれると仮定して説明を進める。
【０１５４】
ステップＳ３０７において、ＨｅＮＢ ＧＷ５００は、照合結果に含まれ、かつ、Ｘ２接続を有するＭｅＮＢ２００にＸ２ ＳＥＴＵＰ Ｒｅｑｕｅｓｔを送信させるためのＸ２ ＳＥＴＵＰ Ｒｅｑｕｅｓｔ起動メッセージを、Ｓ１インターフェイス上でＨｅＮＢ４００に送信する。
【０１５５】
以降のステップＳ３０８からステップＳ３１１は、図１５のステップＳ１５５からステップＳ１５８と同じである。
【０１５６】
このような手順によって、ハンドオーバ頻度が高く、かつ、近接度も高いＨｅＮＢ４００及びＭｅＮＢ２００の組み合わせについて、ＨｅＮＢ ＧＷ５００を経由するＸ２インターフェイスが確立される。
【０１５７】
（４）実施形態のまとめ
以上説明したように、ＨｅＮＢ ＧＷ５００の管理下にある複数のＨｅＮＢ４００と、ＨｅＮＢ ＧＷ５００の管理下にないＭｅＮＢ２００と、を含む移動通信システムにおいて、複数のＨｅＮＢ４００の中から選択されたＨｅＮＢ４００とＭｅＮＢ２００との間に、ＨｅＮＢ ＧＷ５００を経由し、かつ、ＥＰＣ２０を経由しないＸ２インターフェイスが確立される。
【０１５８】
そして、当該選択されたＨｅＮＢ４００及びＭｅＮＢ２００が、当該確立されたＸ２インターフェイスを用いて、基地局間通信を行う。これにより、当該確立されたＸ２インターフェイスにより、ＥＰＣ２０（ＭＭＥ３００）を介在することなく、ハンドオーバに伴う処理や基地局間干渉を制御する処理などを行うことができる。
【０１５９】
本実施形態では、ＭｅＮＢ２００から複数のＨｅＮＢ４００へのハンドオーバの実施状況、及び／又は、複数のＨｅＮＢ４００からＭｅＮＢ２００へのハンドオーバの実施状況に基づいて、Ｘ２インターフェイスが確立されるべきＨｅＮＢ４００を判断する。これにより、ハンドオーバに利用されないような無駄なＸ２インターフェイスが確立される可能性を低くすることができる。よって、ＨｅＮＢ４００とＭｅＮＢ２００との間に有用なＸ２インターフェイスを確立できる。
【０１６０】
本実施形態では、複数のＨｅＮＢ４００におけるＭｅＮＢ２００からの無線信号の受信状況に基づいて、Ｘ２インターフェイスが確立されるべきＨｅＮＢ４００を判断する。これにより、基地局間干渉の制御に利用されないような無駄なＸ２インターフェイスが確立される可能性を低くすることができる。よって、ＨｅＮＢ４００とＭｅＮＢ２００との間に有用なＸ２インターフェイスを確立できる。
【０１６１】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１６２】
例えば、上述した実施形態では、ＨｅＮＢ ＧＷ５００の管理下にない基地局としてＭｅＮＢ２００を例示した。しかしながら、ＨｅＮＢ ＧＷ５００の管理下にない基地局は、ピコ基地局（ＰｅＮＢ：Ｐｉｃｏ  ｅｖｏｌｖｅｄ  Ｎｏｄｅ−Ｂ）であってもよい。この場合、ＨｅＮＢ４００とＰｅＮＢとの間に、ＨｅＮＢ ＧＷ５００を経由するＸ２インターフェイスを確立できる。あるいは、ＨｅＮＢ ＧＷ５００の管理下にない基地局は、他のＨｅＮＢ ＧＷの管理下にあるＨｅＮＢであってもよい。この場合、ＨｅＮＢ ＧＷ５００の管理下にあるＨｅＮＢ４００と、他のＨｅＮＢ ＧＷの管理下にあるＨｅＮＢとの間に、ＨｅＮＢ ＧＷ５００を経由するＸ２インターフェイスを確立できる。
【０１６３】
なお、米国仮出願第６１／６１２５３７号（２０１２年３月１９日出願）の全内容が、参照により、本願明細書に組み込まれている。
【産業上の利用可能性】
【０１６４】
以上のように、本発明は、移動通信分野において有用である。
【図１】
2013141086.tif 000003
【図２】
2013141086.tif 000004
【図３】
2013141086.tif 000005
【図４】
2013141086.tif 000006
【図５】
2013141086.tif 000007
【図６】
2013141086.tif 000008
【図７】
2013141086.tif 000009
【図８】
2013141086.tif 000010
【図９】
2013141086.tif 000011
【図１０】
2013141086.tif 000012
【図１１】
2013141086.tif 000013
【図１２】
2013141086.tif 000014
【図１３】
2013141086.tif 000015
【図１４】
2013141086.tif 000016
【図１５】
2013141086.tif 000017
【図１６】
2013141086.tif 000018
【図１７】
2013141086.tif 000019
【図１８】
2013141086.tif 000020
【国際調査報告】
2013141086.tif 000021
2013141086.tif 000022
2013141086.tif 000023
2013141086.tif 000024